(57)【要約】【課題】連れ回りを防止できるようにするとともに、薄型化、小型化、低コスト化できるようにする。【解決手段】筐体２の所定部に略同心円上に設けられた回動スイッチ１０及び２０の自動復帰機構９が、回動スイッチ１０の裏面側に、間隙部Ｓ１を有して一対で突設される回動リブ部１１，１２と、間隙部Ｓ１の円心側に隣設する間隙部Ｓ２を有して、回動スイッチ２０の裏面側に一対で突設される回動リブ部２１，２２と、筐体２に対する伸縮位置を略固定された伸縮部３３を有して、伸縮部３３が間隙部Ｓ１及びＳ２に配置される捻りコイルバネ３０と、捻りコイルバネ３０の伸縮部３３の伸縮方向の一方の側の筐体２の所定部に回動可能に設けられるカムロック部４１と、捻りコイルバネ３０の伸縮部３３の伸縮方向の他方の側の筐体２の所定部に回動可能に設けられるカムロック部４２とを備えている。【選択図】  図２
2009135038.tif 000002
【特許請求の範囲】
【請求項１】
所定の筐体と、
前記筐体の所定部に略同心円上に設けられ、其々が独立して回動操作される第１及び第２の回動スイッチと、
回動操作された前記第１及び第２の回動スイッチを、所定の回動位置に自動復帰させる自動復帰機構と、
前記第１及び第２の回動スイッチの其々に設けられ、当該第１及び第２の回動スイッチと連動する第１及び第２の摺動子と、
前記第１及び第２の回動スイッチの回動操作に応じて前記第１及び第２の摺動子と摺接する電極とを備える多重回動スイッチにおいて、
前記自動復帰機構は、
前記第１の回動スイッチの回動操作される面の裏面側に、第１の間隙部を有して一対で突設された第１及び第２の回動リブ部と、
前記第１の間隙部の円心側に配された第２の間隙部を有して、前記第２の回動スイッチの裏面側に一対で突設される第３及び第４の回動リブ部と、
前記筐体に対する伸縮位置を略固定された伸縮部を有して、当該伸縮部が前記第１及び第２の間隙部に配置される弾性部材と、
前記弾性部材の伸縮部の伸縮方向の一方の延長線上の前記筐体の所定部に回動可能に設けられた第１のカムロック部と、
前記弾性部材の伸縮部の伸縮方向の他方の延長線上の前記筐体の所定部に回動可能に設けられた第２のカムロック部とを備え、
前記第１の回動スイッチが所定の方向に回動操作されると、前記第１又は第２の回動リブ部が前記第１又は第２のカムロック部と当接して当該第１又は第２のカムロック部を回動させ、回動した前記第１又は第２のカムロック部が前記第３又は第４の回動リブ部と当接し、
前記第２の回動スイッチが所定の方向に回動操作されると、前記第３又は第４の回動リブ部が前記第１又は第２のカムロック部と当接して当該第１又は第２のカムロック部を回動させ、回動した前記第１又は第２のカムロック部が前記第１又は第２の回動リブ部と当接することを特徴とする多重回動スイッチ。
【請求項２】
前記弾性部材と、
前記第１乃至第４の回動リブ部と、
前記第１及び第２のカムロック部とが、
略同一平面上に配置されることを特徴とする請求項１に記載の多重回動スイッチ。
【請求項３】
前記弾性部材は、
前記第１及び第２の回動スイッチと略同心円上に配される巻心部と、
前記巻心部の円周方向に接近離間する一対の突出棒とを有する捻りコイルバネで構成され、
当該捻りコイルバネの付勢力によって、前記一対の突出棒が前記伸縮部を成すことを特徴とする請求項２に記載の多重回動スイッチ。
【請求項４】
前記第１及び第２のカムロック部は、
略扇形状を有し、
当該扇形状の中心角の側に回動軸を設けられ、
扇形状の両側辺部に、前記回動リブ部の外側端部が当接して回動することを特徴とする請求項２に記載の多重回動スイッチ。
【発明の詳細な説明】
【技術分野】
【０００１】
この発明は、デジタルカメラ、デジタルビデオカメラ等のズームスイッチやモード切替スイッチに適用可能な多重回動スイッチに関する。
【０００２】
詳しくは、筐体の所定部に同心円上に配設された第１及び第２の回動スイッチの裏面側に、間隙部を有して一対を成す回動リブ部を其々設け、当該第１及び第２の回動スイッチの間隙部に弾性部材の伸縮部を配置するとともに、伸縮部の伸縮方向の延長線上の筐体の所定部に第１及び第２のカムロック部を備え、一方の回動スイッチが所定の方向に回動操作されると、回動操作された回動スイッチの一対の回動リブ部の一方が伸縮部を押圧するとともに、他方がカムロック部と当接して回動させ、回動したカムロック部が他方の回動スイッチの回動リブ部と当接するようにして、一方の回動スイッチの回動操作に、他方の回動スイッチが連動する連れ回りを防止できるようにするとともに、一の弾性部材が第１及び第２の回動スイッチを付勢及び自動復帰できるようにして、薄型化、小型化、低コスト化を実現できるようにしたものである。
【背景技術】
【０００３】
近年、特にデジタルビデオカメラ、デジタルカメラ等といった携帯用の電子機器では、小型化、軽量化、低コスト化が進んでいる。電子機器の小型化に伴い、それらに搭載される操作ボタンや操作スイッチも小型化されている。こうした状況の中、ズーム調整やモード切替等のための複数の回動スイッチが、同心円上に多重に配置された多重回動スイッチが多く使用されている。
【０００４】
この種の多重回動スイッチに関して、特許文献１に示すような多段ロータリースイッチが開示されている。この多段ロータリースイッチによれば、印刷基板の上面に、同心円状の複数のスイッチ用接点を設け、当該複数のスイッチ用接点と摺接する複数のロータリースイッチを同一平面上に構成すると共に、スイッチ用接点の軸心と対向して固定軸筒を設け、固定軸筒によって、第１回動操作ツマミと第２回動操作ツマミに回動基準点を与えるようになされる。このようにすると、スイッチ用接点を積層せずに、一の印刷基板に構成できるので、印刷基板と複数のロータリースイッチとを収納するケースの厚みを薄くできるというものである。
【０００５】
更に、特許文献２には自動復帰（セルフリターン）機構を有するロータリースイッチが開示されている。このロータリースイッチによれば、軸受部に保持された捻りコイルバネと、当該捻りコイルバネの両端と当接する凹状の当接部を有する操作体を備えている。このように構成すると、操作体を回動する操作力が解除されたときに、捻りコイルバネの付勢力で操作体の回動位置が復帰するというものである。
【０００６】
【特許文献１】実用新案登録第２５７２２５６号公報（第３頁、図１）
【特許文献２】実開昭６３−１８６０３０号公報（第１頁、図２）
【発明の開示】
【発明が解決しようとする課題】
【０００７】
ところで、特許文献１及び２に係る多段ロータリースイッチ及びロータリースイッチによれば、回動操作ツマミ（操作体）毎に自動復帰機構を有するものである。従って、ロータリースイッチの小型化、薄型化、低コスト化が制限されるという問題がある。また、一方の操作体を回動した場合に他方の操作体が連動する連れ回りが発生するおそれがある。
【０００８】
そこで本発明は、上述の課題を解決したものであって、同心円上に配設された回動スイッチの連れ回りを防止できるようにするとともに、薄型化、小型化、低コスト化できるようにした多重回動スイッチを提供することを目的とする。
【課題を解決するための手段】
【０００９】
上述した課題は、所定の筐体と、筐体の所定部に略同心円上に設けられ、其々が独立して回動操作される第１及び第２の回動スイッチと、回動操作された第１及び第２の回動スイッチを、所定の回動位置に自動復帰させる自動復帰機構と、第１及び第２の回動スイッチの其々に設けられ、当該第１及び第２の回動スイッチと連動する第１及び第２の摺動子と、第１及び第２の回動スイッチの回動操作に応じて第１及び第２の摺動子と摺接する電極とを備える多重回動スイッチにおいて、自動復帰機構は、第１の回動スイッチの回動操作される面の裏面側に、第１の間隙部を有して一対で突設された第１及び第２の回動リブ部と、第１の間隙部の円心側に配された第２の間隙部を有して、第２の回動スイッチの裏面側に一対で突設される第３及び第４の回動リブ部と、筐体に対する伸縮位置を略固定された伸縮部を有して、当該伸縮部が第１及び第２の間隙部に配置される弾性部材と、弾性部材の伸縮部の伸縮方向の一方の延長線上の筐体の所定部に回動可能に設けられた第１のカムロック部と、弾性部材の伸縮部の伸縮方向の他方の延長線上の筐体の所定部に回動可能に設けられた第２のカムロック部とを備え、第１の回動スイッチが所定の方向に回動操作されると、第１又は第２の回動リブ部が第１又は第２のカムロック部と当接して、当該第１又は第２のカムロック部を回動させ、回動した第１又は第２のカムロック部が第３又は第４の回動リブ部と当接し、第２の回動スイッチが所定の方向に回動操作されると、第３又は第４の回動リブ部が第１又は第２のカムロック部と当接して、当該第１又は第２のカムロック部を回動させ、回動した第１又は第２のカムロック部が第１又は第２の回動リブ部と当接することを特徴とする多重回動スイッチによって解決される。
【００１０】
この発明に係る多重回動スイッチによれば、第１の回動スイッチが第１の方向に回動操作されると、第２の回動リブ部が伸縮部を押圧するとともに、第１の回動リブ部が第１のカムロック部と当接して第１のカムロック部を円心側に回動させ、回動した第１のカムロック部が、第２の回動スイッチの第３の回動リブ部と当接する。
【００１１】
第２の回動スイッチが第１の方向に回動操作されると、第４の回動リブ部が伸縮部を押圧するとともに、第３の回動リブ部が第１のカムロック部と当接して第１のカムロック部を外周側に回動させ、回動した第１のカムロック部が、第１の回動スイッチの第１の回動リブ部と当接する。
【００１２】
第１の回動スイッチが第２の方向に回動操作されると、第１の回動リブ部が伸縮部を押圧するとともに、第２の回動リブ部が第２のカムロック部と当接して第２のカムロック部を円心側に回動させ、回動した第２のカムロック部が、第２の回動スイッチの第４の回動リブ部と当接する。
【００１３】
第２の回動スイッチが第２の方向に回動操作されると、第３の回動リブ部が伸縮部を押圧するとともに、第４の回動リブ部が第２のカムロック部と当接して第２のカムロック部を外周側に回動させ、回動した第２のカムロック部が、第１の回動スイッチの第２の回動リブ部と当接する。
【発明の効果】
【００１４】
この発明に係る多重回動スイッチによれば、第１又は第２の回動スイッチの何れか一方が所定方向（回動方向）に回動操作されると、第１又は第２の回動スイッチの回動リブ部によって、所定方向の側にある第１又は第２のカムロック部が回動し、回動操作されていない他方の第２又は第１の回動スイッチの回動リブと当接して、第２又は第１の回動スイッチが所定方向へ回動することを阻止する。これにより、一方の回動スイッチの回動操作に、他方の回動スイッチが連動する連れ回りを防止できる。
【００１５】
また、一の弾性部材が第１及び第２の回動スイッチの間隙部に伸縮部を配し、両方の回動スイッチを付勢するとともに回動位置を復帰させるので、部品数や組立工数を削減でき、多重回動スイッチを応用する電子機器の小型化、薄型化及び低コスト化に貢献できる。
【発明を実施するための最良の形態】
【００１６】
続いて、この発明に係る多重回動スイッチについて図面を参照しながら説明をする。  
図１は、この発明の実施の形態としての多重回動スイッチ１の構成例を示す斜視図である。図１に示す多重回動スイッチ１は、例えばデジタルビデオカメラ等の電子機器に搭載されて、ズームイン、ズームアウト、モード切替等のスイッチ操作に用いられる。以降、多重回動スイッチ１が電子機器に搭載された場合に、電子機器の筐体の外側に配されて操作される側を表面側として説明をする。
【００１７】
多重回動スイッチ１は、筐体２と、筐体２の表面側の所定部に同心円上に隣接して設けられ、其々が独立して回動操作される回動スイッチ１０及び２０と、筐体２の裏面側に設けられ、回動操作された回動スイッチ１０及び２０を所定の回動位置に自動復帰させる自動復帰機構９と、回動スイッチ１０及び２０の其々に設けられ、当該回動スイッチ１０及び２０と連動する摺動子５２及び６２（図２参照）と、筐体２と一体になされ、回動スイッチ１０及び２０の回動操作に応じて摺動子５２及び６２と摺接する電極群７１及び７２（図２参照）とを備えている。
【００１８】
この例の多重回動スイッチ１は、筐体２に基づいて構成される。筐体２は、例えばプラスチック等の絶縁性の部材で構成されて、電子機器の所定部に固定可能な外形を有する。回動スイッチ１０及び２０は、筐体２に対して回動可能に係合される環状（ダイヤル形状）の部材である。回動スイッチ１０は外側に、回動スイッチ２０は内側に設けられ、２つの回動スイッチは略同心円上に配されている。
【００１９】
また、回動操作性を向上するため、この例の回動スイッチ１０の表面側には凸状の操作部１０ａが設けられ、回動スイッチ２０の表面側には波面状の操作部２０ａが設けられている。回動スイッチ１０及び２０は、通常、使用者の指先で回動操作される。
【００２０】
図２Ａ及びＢは、自動復帰機構９の構成例を示す多重回動スイッチ１の分解斜視図である。多重回動スイッチ１は、図２Ａに示す筐体２、回動スイッチ１０，２０、捻りコイルバネ３０、カムロック部４１，４２、連動片５０，５１，６０、及び、摺動子５２，６２と、図２Ｂに示す筐体７０、及び、電極群７１，７２とを備えて構成される。筐体２と筐体７０とは、互いに係合可能な形状を有して一体に組み立てられる。
【００２１】
多重回動スイッチ１は、回動スイッチ１０（第１の回動スイッチ）が回動操作されると、回動スイッチ１０と連動する摺動子５２（第１の摺動子）が電極群７１との電気的接続状態を変更し、回動スイッチ２０（第２の回動スイッチ）が回動操作されると、回動スイッチ２０と連動する摺動子６２（第２の摺動子）が電極群７２との電気的接続状態を変更することで、電気的なスイッチとして機能するようになされる。電極群７１，７２は、筐体７０の所定面に、略同心円上に印刷形成された配線パターンや電極シートなどで構成される。筐体７０は、電極群７１，７２を内側に配して、筐体２の裏面側から筐体２と一体に組み上げられる。
【００２２】
多重回動スイッチ１が搭載されるデジタルビデオカメラ等は、摺動子５２，６２と電極群７１，７２との電気的接続状態に応じて、ズームイン、ズームアウト、モード切替等の処理を実行するように構成される。
【００２３】
また多重回動スイッチ１は、筐体２の裏面側に自動復帰機構９を有している。回動スイッチ１０又は２０は、自動復帰機構９によって、所定方向に回動操作された後で回動操作が解除されると、図１に示す回動位置に自動復帰する。また、この例の回動スイッチ１０及び２０は、円心Ｐ０（図３参照）を回動軸に、時計回り、反時計回りの両方向に、所定の回動範囲で回動操作される。
【００２４】
更に、この例の自動復帰機構９は、自動復帰（セルフリターン）機能の他に、連れ回り防止機能を備えている。ここでいう連れ回りとは、誤操作の一例であり、一方の回動スイッチが所定方向に回動操作された場合に、回動操作されていない他方の回動スイッチが、例えば使用者の指がかかること等によって連動し、所定方向に回動操作されることをいう。
【００２５】
自動復帰機構９は、回動リブ部１１，１２，２１，２２、捻りコイルバネ３０、カムロック部４１，４２から構成される。ここで、図３は、多重回動スイッチ１の機能例（その１）を示す図であり、筐体７０を取り外した状態の回動スイッチ１の裏面図である。以降、図２及び図３を参照しながら、自動復帰機構９の構成について説明をする。
【００２６】
回動リブ部１１（第１の回動リブ部）、回動リブ部１２（第２の回動リブ部）は、回動スイッチ１０の裏面側に、間隙部Ｓ１を有して一対で突設される。この例の回動リブ部１１，１２は、一対の弧状の突起部で構成される。回動リブ部１１，１２は、回動スイッチ１０と連動して回動する。回動リブ部１１，１２の円心（軸心）側には、回動スイッチ２０の回動リブ部２１（第３の回動リブ部）、回動リブ部２２（第４の回動リブ部）の回動円が配される。ここでいう回動リブ部２１，２２の回動円とは、回動リブ部２１，２２が回動する軌道をさす。
【００２７】
回動リブ部２１，２２は、間隙部Ｓ１の円心側に隣設された間隙部Ｓ２を有して、回動スイッチ２０の裏面側に一対で突設される。この例の回動リブ部２１，２２は、一対の弧状の突起部で構成される。回動リブ部２１，２２は回動スイッチ２０と連動して回動する。
【００２８】
ここで、円心側の回動リブ部２１，２２は、外周側の回動リブ部１１，１２に比べて短い弧状になされる。回動リブ部１１と回動リブ部２１とは、略同じ中心角θ１を有し、また、円心Ｐ０に対して略同心円上に配されている。
【００２９】
一方、回動リブ部１２と回動リブ部２２とは、略同じ中心角θ２を有し、円心Ｐ０に対して略同心円上に配されている。回動リブ部２１，２２の回動円の、更に円心側の筐体２の所定部には、弾性部材の一例としての捻りコイルバネ３０が配される。
【００３０】
捻りコイルバネ３０は、筐体２に対する伸縮位置を略固定された伸縮部３３を有して、当該伸縮部３３が、間隙部Ｓ１、Ｓ２に配置されるものである。捻りコイルバネ３０は、伸縮部３３の伸縮方向の両端部が、回動リブ部１１，１２，２１，２２の内側端部１１ｂ，１２ｂ，２１ｂ，２２ｂに当接するようになされる。捻りコイルバネ３０は、回動スイッチ１０及び２０の円心側に位置する筐体２の所定部に係合される。捻りコイルバネ３０の伸縮部３３の伸縮方向の延長線上には、カムロック部４１（第１のカムロック部），カムロック部４２（第２のカムロック部）が配置される。
【００３１】
カムロック部４１は、伸縮部３３の伸縮方向の一方の延長線上の筐体２の所定部に回動可能に設けられて、回動リブ部１１，２１の外側端部１１ａ，２１ａに当接するようになされる。一方、カムロック部４２は、伸縮部３３の伸縮方向の他方の延長線上の筐体２の所定部に回動可能に設けられて、回動リブ部１２，２２の外側端部１２ａ，２２ａに当接するようになされる。
【００３２】
自動復帰機構９では、外周側の回動スイッチ１０が所定の方向に回動操作されると、回動方向にある回動リブ部１１，１２の何れか一方が、カムロック部４１又は４２と当接してカムロック部４１又は４２を円心側に回動させ、回動したカムロック部４１又は４２が、円心側にある回動リブ部２１又は２２の外側端部２１ａ又は２２ａと当接するようになされる。この場合、回動したカムロック部４１又は４２によって、円心側の回動スイッチ２０の回動動作が阻止される。
【００３３】
同様に、円心側の回動スイッチ２０が所定の方向に回動操作されると、回動方向にある回動リブ部２１，２２の何れか一方がカムロック部４１又は４２と当接してカムロック部４１又は４２を外周側に回動させ、回動したカムロック部４１又は４２が、外周側にある回動リブ部１１又は１２の外側端部１１ａ又は１２ａと当接するようになされる。この場合、回動したカムロック部４１又は４２によって、外周側の回動スイッチ１０の回動動作が阻止される。
【００３４】
この例の自動復帰機構９は、筐体２の裏面側に略同一平面状態で構成される。つまり、回動リブ部１１，１２，２１，２２、捻りコイルバネ３０、カムロック部４１，４２とは、略同一平面上に配される。
【００３５】
また、回動スイッチ１０は、回動リブ部１１，１２と同一面に、スイッチ機能用の回動リブ部１３，１４を有している。回動リブ部１３，１４の先端部には連動片５０が連結される。連動片５０は、この例では円弧状に構成され、連動片５０の筐体７０の側の面には、摺動子５２が突設されている。
【００３６】
一方、回動スイッチ２０は、回動リブ部２１，２２と同一面に、スイッチ機能用の回動リブ部２３，２４を有している。回動リブ部２３，２４の先端部には連動片６０が連結される。連動片６０は、この例では環状に構成され、連動片６０の筐体７０の側の面には、摺動子６２が突設されている。
【００３７】
また、回動スイッチ１０及び２０が係合される筐体２は、略中央部に円形の開口部２ａを備えている。開口部２ａの中点である円心Ｐ０は、回動スイッチ１０及び２０の回動軸を成す。開口部２ａの周辺には、弧状の開孔部である長孔４〜７，４’〜７’が、其々、分断されて形成されている。長孔４’〜７’は、開口部２ａの外周側に開口部２ａと略同心円上に配され、長孔４〜７は、長孔４’〜７’の更に外周側に開口部２ａ及び長孔４’〜７’と略同心円上に配される。
【００３８】
外側の長孔４〜７の其々には、回動スイッチ１０の回動リブ部１１〜１４の其々がスライド可能に係合される。一方、内側の長孔４’〜７’の其々には、回動スイッチ２０の回動リブ部２１〜２４の其々がスライド可能に係合される。この例では、長孔４〜７の円周方向の長さが回動スイッチ１０の回動範囲を規制する。同様に、長孔４’〜７’の円周方向の長さが回動スイッチ２０の回動範囲を規制する。
【００３９】
また、筐体２の裏面側の開口部２ａの円周部には、捻りコイルバネ装着用の環状突起部３が形成されている。環状突起部３は、所定部に間隙部Ｓ３を有している。この例で間隙部Ｓ３は略長方形の凹部で構成される。間隙部Ｓ３の円周方向の両側端部は開口端部３ａ，３ｂを成す。また、間隙部Ｓ３の円周方向の長さは、回動スイッチ１０及び２０の回動角度と、捻りコイルバネ３０の弾性力とに基づいて設定される。この例の回動スイッチ１０と回動スイッチ２０とは、略同等の回動角度を有する。
【００４０】
環状突起部３の内周部に捻りコイルバネ３０が係合される。捻りコイルバネ３０は、巻心部３４と伸縮部３３とを有して構成されている。捻りコイルバネ３０は、巻心部３４が、回動スイッチ１０及び２０と同心円上の環状突起部３の内周部に配される。
【００４１】
伸縮部３３は、巻心部３４から放射方向に突設されて、巻心部３４の円周方向に接近離間する一対の突出棒３１，３２で構成される。一対の突出棒３１，３２は、捻りコイルバネ３０の付勢力によって間隙部Ｓ１及びＳ２に配置される伸縮部３３を成す。
【００４２】
捻りコイルバネ３０の伸縮部３３は、間隙部Ｓ３に係合され、間隙部Ｓ３の範囲で伸縮可能になされる。捻りコイルバネ３０に外力が加わらないとき、開口端部３ａには突出棒３１が当接し、開口端部３ｂには突出棒３２が当接する。捻りコイルバネ３０は、間隙部Ｓ３に配された突出棒３１及び３２が互いに離間する張力で自らの回動位置を保持する。また、突出棒３１及び３２は間隙部Ｓ１及びＳ２に向けて延在され、回動スイッチ１０及び２０を付勢する。このため、間隙部Ｓ３，Ｓ１及びＳ２は、略同じ中心角を有している。捻りコイルバネ３０の伸縮方向（円周方向）の延長線上には、カムロック部４１，４２が配置される。
【００４３】
この例のカムロック部４１，４２は、略扇形状を有し、扇形状の中心角の側には回転軸が設けられ、扇形の両側辺部に回動リブ部１１，１２，２１，２２の外側端部１１ａ，１２ａ，２１ａ，２２ａが当接して回動するようになされる。例えば、カムロック部４１は、扇形状の中心角の側に回動軸部４１ａを有している。更に、カムロック部４１の扇形の中心角の対辺を成す両側辺は、側辺部４１ｂ，４１ｃを成す。
【００４４】
側辺部４１ｂ，４１ｃは、緩やかな屈曲形状に凹落している。カムロック部４１は、外周側の側辺部４１ｂ又は円心側の側辺部４１ｃに、回動した回動リブ部１１又は２１の何れか一方の外側端部１１ａ又は２１ａが当接することによって押圧され、円心側又は外周側に回動する。
【００４５】
他方、カムロック部４２は、回動軸部４２ａを有し、扇形の側辺部４２ｂ，４２ｃが緩やかな屈曲形状に凹落している。カムロック部４２は、側辺部４２ｂ，４２ｃに、回動した回動リブ部１２又は２２の何れか一方の外側端部１２ａ又は２２ａが当接することによって押圧され、円心側又は外周側に回動するようになされる。
【００４６】
また、図２Ｂに示す筐体７０の内側には、複数の配線パターンで成る電極群７１，７２が形成されている。電極群７１は、回動スイッチ１０の回動位置に応じて、摺動子５２と摺接可能な位置に配置されている。電極群７２は、回動スイッチ２０の回動位置に応じて、摺動子６２と摺接（短絡）、離間（開放）が可能な位置に配設されている。
【００４７】
また、電極群７１，７２として、一の回動円上に複数の電極を分断して配列し、回動スイッチ１０，２０の回動角度に応じて摺接電極が変更されるようにしてもよい。このようにすると、例えば、回動スイッチ１０を第１の方向に少し回動させると、緩やかなズームアップを実行し、回動スイッチ１０を第１の方向に大きく回動させると、急速なズームアップを実行する段階的なズーム制御ができるようになる。以上のようにして、多重回動スイッチ１が構成される。
【００４８】
図２Ａ及びＢに示すような構成部品から、多重回動スイッチ１を組み立てるには、まず、捻りコイルバネ３０を筐体２の環状突起部３に係合する。このとき、捻りコイルバネ３０の巻心部３４を環状突起部３の内周部に配して、突出棒３１及び３２を環状突起部３の間隙部Ｓ３に嵌合する。ここで、突出棒３１及び３２を、其々、開口端部３ａ及び３ｂに当接させる。これで、捻りコイルバネ３０が筐体２の円心側の所定位置に付勢される。伸縮部３３（突出棒３１及び３２）は、間隙部Ｓ３の範囲で巻心部３４の円周方向に伸縮可能になっている。
【００４９】
次に、回動スイッチ１０の回動リブ部１１〜１４の其々を、筐体２に形成された弧状の開孔部である長孔４〜７に挿入する。このとき、回動リブ部１１を長孔４に挿入し、回動リブ部１２を長孔５に挿入し、回動リブ部１３を長孔６に挿入し、回動リブ部１４を長孔７に挿入する。
【００５０】
回動リブ部１１〜１４をそれぞれの長孔４〜７に挿入したら、回動リブ部１１及び１２の間の間隙部Ｓ１に捻りコイルバネ３０の突出棒３１及び３２を嵌合し、回動リブ部１１，１２の内側端部１１ｂ，１２ｂに当接させる。これで、回動スイッチ１０が、筐体２に対して所定の回動位置に付勢される。更に、回動リブ部１３，１４の挿入端部に連動片５０，５１を連結する。このとき、摺動子５２が筐体７０の側（裏面側）に向くようにする。
【００５１】
次に、回動スイッチ２０の回動リブ部２１〜２４を、筐体２に形成された弧状の開孔部である長孔４’〜７’に挿入する。このとき、回動リブ部２１を長孔４’に挿入し、回動リブ部２２を長孔５’に挿入し、回動リブ部２３を長孔６’に挿入し、回動リブ部２４を長孔７’に挿入する。
【００５２】
回動リブ部２１〜２４をそれぞれの長孔４’〜７’に挿入したら、回動リブ部２１及び２２の間の間隙部Ｓ２に捻りコイルバネ３０の突出棒３１及び３２を嵌合し、回動リブ部２１，２２の内側端部２１ｂ，２２ｂに当接させる。更に、回動リブ部２３，２４の先端部に連動片６０を連結する。このとき、摺動子６２が筐体７０の側に向くようにする。
【００５３】
次に、筐体２の裏面側の所定部に、カムロック部４１及び４２を回動可能に連結する。まず、カムロック部４１を、伸縮部３３の伸縮方向の延長線上であって、長孔４と長孔４’との間の所定部に回動可能に連結する。このとき、回動軸部４１ａを伸縮部３３の側にして当該回動軸部４１ａを軸に回動可能に連結する。更にこのとき、回動リブ部１１の外側端部１１ａが、カムロック部４１の側辺部４１ｂに摺接できるようにするとともに、回動リブ部２１の外側端部２１ａが、側辺部４１ｃに摺接できるようにする。
【００５４】
次に、カムロック部４２を、伸縮部３３の伸長方向の延長線上であって、長孔５と長孔５’との間の所定部に配置する。このとき、回動軸部４２ａを伸縮部３３の側にして当該回動軸部４２ａを軸に回動可能に連結する。またこのとき、回動リブ部１２の外側端部１２ａが、カムロック部４２の側辺部４２ｂに摺接できるようにするとともに、回動リブ部２２の外側端部２２ａが、側辺部４２ｃに摺接できるようにする。
【００５５】
最後に、電極群７１，７２を有す面を内側にして、筐体７０と筐体２０とを組み立てる。以上のようにして、多重回動スイッチ１を組み立てることができる。以下で、多重回動スイッチ１の機能について説明をする。
【００５６】
図３〜７は、多重回動スイッチ１の機能例（その１〜５）を示す図である。図３〜７の多重回動スイッチ１は、筐体７０が取り外された状態で、筐体２を裏面側からみたものである。
【００５７】
図３に示す多重回動スイッチ１は、回動スイッチ１０及び２０が、図１に示した回動操作前の回動位置にあるニュートラル状態である。ニュートラル状態の多重回動スイッチ１は、捻りコイルバネ３０の突出棒３１が環状突起部３の開口端部３ａに当接し、突出棒３２が開口端部３ｂに当接して自らの状態を保持している。
【００５８】
このとき、回動リブ部１１及び２１の内側端部１１ｂ及び２１ｂは突出棒３１に当接し、回動リブ部１２及び２２の内側端部１２ｂ及び２２ｂは突出棒３２に当接している。こうして、捻りコイルバネ３０によって、回動スイッチ１０及び２０がニュートラル状態の回動位置に付勢されている。また、このときのカムロック部４１は、長孔４と長孔４’に対して中立な、回動前の中間状態にある。同様に、カムロック部４２は、長孔５と長孔５’に対して中立な、回動前の中間状態にある。
【００５９】
図４に示す多重回動スイッチ１は、回動スイッチ１０が矢線Ａ１に示す方向（第１の方向）に回動操作された回動状態（以降、回動状態Ｉという。）である。回動状態Ｉの多重回動スイッチ１では、回動スイッチ１０と連動する回動リブ部１１〜１４が矢線Ａ１方向に同じ回動角度だけ回動する。
【００６０】
回動した回動リブ部１２は、突出棒３２を矢線Ａ１方向に押圧して伸縮部３３を縮小させる。押圧された突出棒３２は、環状突起部３の開口端部３ｂから離間する。
【００６１】
このとき、回動リブ部１２と一対を成す回動リブ部１１は、回動リブ部１２との間隙部Ｓ１（図２参照）を保持して矢線Ａ１方向に回動する。回動した回動リブ部１１は、内側端部１１ｂが突出棒３１から離間して、外側端部１１ａがカムロック部４１の側辺部４１ｂと摺接する。
【００６２】
回動リブ部１１によって外周側の側方を押圧されたカムロック部４１は、矢線Ａ１’に示す円心側に回動する。回動したカムロック部４１の側辺部４１ｃは、円心側にある回動リブ部２１の外側端部２１ａに当接する。こうして、回動状態Ｉのカムロック部４１と突出棒３１とによって、回動リブ部２１の両端部が固定され、回動スイッチ２０が矢線Ａ１方向へ回動する連れ回りが阻止される。
【００６３】
また、図４に示すような回動操作が解除されると、突出棒３２が開口端部３ｂと当接するまで伸縮部３３が伸長し、回動スイッチ１０が図３のニュートラル状態に自動復帰する。
【００６４】
図５に示す多重回動スイッチ１は、回動スイッチ２０が矢線Ａ１に示す方向に回動操作された回動状態（以降、回動状態IIという。）である。回動状態IIの多重回動スイッチ１では、回動スイッチ２０と連動する回動リブ部２１〜２４が矢線Ａ１方向に同じ回動角度だけ回動する。
【００６５】
回動した回動リブ部２２は、突出棒３２を矢線Ａ１方向に押圧して伸縮部３３を縮小させる。押圧された突出棒３２は、環状突起部３の開口端部３ｂから離間する。
【００６６】
このとき、回動リブ部２２と一対を成す回動リブ部２１は、回動リブ部２２との間隙部Ｓ２（図２参照）を保持して矢線Ａ１方向に回動する。回動した回動リブ部２１は、内側端部２１ｂが突出棒３１から離間して、外側端部２１ａがカムロック部４１の側辺部４１ｃと摺接する。
【００６７】
回動リブ部２１によって円心側の側方を押圧されたカムロック部４１は、矢線Ａ１”に示す外周側に回動する。回動したカムロック部４１の側辺部４１ｂは、外周側にある回動リブ部１１の外側端部１１ａに当接する。こうして、回動状態IIのカムロック部４１と突出棒３１とによって、回動リブ部１１の両端部が固定され、回動スイッチ１０が矢線Ａ１方向へ回動する連れ回りが阻止される。
【００６８】
また、図５に示すような回動操作が解除されると、伸縮部３３の張力によって突出棒３２が開口端部３ｂと当接し、回動スイッチ２０は図３のニュートラル状態に自動復帰する。
【００６９】
図６に示す多重回動スイッチ１は、回動スイッチ１０が矢線Ａ２に示す方向（第２の方向）に回動操作された回動状態（以降、回動状態IIIという。）である。回動状態IIIの多重回動スイッチ１では、回動スイッチ１０と連動する回動リブ部１１〜１４が矢線Ａ２方向に同じ回動角度だけ回動する。
【００７０】
回動した回動リブ部１１は、突出棒３１を矢線Ａ２方向に押圧して伸縮部３３を縮小させる。押圧された突出棒３１は、環状突起部３の開口端部３ａから離間する。
【００７１】
このとき、回動リブ部１１と一対を成す回動リブ部１２は、回動リブ部１１との間隙部Ｓ１（図２参照）を保持して矢線Ａ２方向に回動する。回動した回動リブ部１２は、内側端部１２ｂが突出棒３２から離間して、外側端部１２ａがカムロック部４２の側辺部４２ｂと摺接する。
【００７２】
回動リブ部１２によって外周側の側方を押圧されたカムロック部４２は、矢線Ａ２’に示す円心側に回動する。回動したカムロック部４２の側辺部４２ｃは、円心側にある回動リブ部２２の外側端部２２ａに当接する。こうして、回動状態IIIのカムロック部４２と突出棒３２とによって、回動リブ部２２の両端部が固定され、回動スイッチ２０が矢線Ａ２方向へ回動する連れ回りが阻止される。
【００７３】
また、図６に示すような回動状態IIIの回動操作が解除されると、伸縮部３３の張力によって突出棒３１が開口端部３ａと当接し、回動スイッチ１０は図３のニュートラル状態に自動復帰する。
【００７４】
図７に示す多重回動スイッチ１は、円心側の回動スイッチ２０が矢線Ａ２に示す方向に回動操作された回動状態（以降、回動状態IVという。）にある。回動状態IVの多重回動スイッチ１では、回動スイッチ２０と連動する回動リブ部２１〜２４が矢線Ａ２方向に同じ回動角度だけ回動する。
【００７５】
回動した回動リブ部２１は、突出棒３１を矢線Ａ２方向に押圧して伸縮部３３を縮小させる。押圧された突出棒３１は、環状突起部３の開口端部３ａから離間する。
【００７６】
このとき、回動リブ部２１と一対を成す回動リブ部２２は、回動リブ部２１との間隙部Ｓ２（図２参照）を保持して矢線Ａ２方向に回動する。回動した回動リブ部２２は、内側端部２２ｂが突出棒３２から離間して、外側端部２２ａがカムロック部４２の側辺部４２ｃと摺接する。
【００７７】
回動リブ部２１によって円心側の側方を押圧されたカムロック部４２は、矢線Ａ２”に示す外周側に回動する。回動したカムロック部４２の側辺部４２ｂは、外周側にある回動リブ部１２の外側端部１２ａに当接する。こうして、回動状態IVのカムロック部４２と突出棒３２とによって、回動リブ部１２の両端部が挟持され、回動スイッチ１０が矢線Ａ２方向へ回動する連れ回りが阻止される。
【００７８】
また、図７に示すような回動状態IVが解除されると、伸縮部３３の張力によって突出棒３１が開口端部３ａと当接し、回動スイッチ１０は図３のニュートラル状態に自動復帰する。
【００７９】
上述の、ニュートラル状態及び回動状態Ｉ〜IVといった５つの回動状態に応じて、回動スイッチ１０又は２０と連動する摺動子５２又は６２と、電極群７１又は７２との電気的接続が変更される。こうして、多重回動スイッチ１の電気的機能が実現される。
【００８０】
このように、この発明の実施の形態に係る多重回動スイッチ１によれば、筐体２の所定部に同心円上に配設されて回動操作される回動スイッチ１０及び２０の各々に、間隙部Ｓ１を有して一対を成す回動リブ部１１，１２と、間隙部Ｓ２を有して一対を成す回動リブ部２１，２２とを設け、２つの間隙部Ｓ１及びＳ２の両方に一の伸縮部３３を配置して、伸縮部３３の伸縮方向の延長線上の筐体２の所定部に、カムロック部４１，４２を備えている。
【００８１】
この構成によって、回動スイッチ１０が矢線Ａ１の方向に回動操作されると、回動リブ部１２が伸縮部３３を押圧するとともに、回動リブ部１１がカムロック部４１と当接してカムロック部４１を円心側に回動させ、回動したカムロック部４１が、回動スイッチ２０の回動リブ部２１と当接する。
【００８２】
回動スイッチ２０が矢線Ａ１の方向に回動操作されると、回動リブ部２２が伸縮部３３を押圧するとともに、回動リブ部２１がカムロック部４１と当接してカムロック部４１を外周側に回動させ、回動したカムロック部４１が、回動スイッチ１０の回動リブ部１１と当接する。
【００８３】
回動スイッチ１０が矢線Ａ２の方向に回動操作されると、回動リブ部１１が伸縮部３３を押圧するとともに、回動リブ部１２がカムロック部４２と当接してカムロック部４２を円心側に回動させ、回動したカムロック部４２が、回動スイッチ２０の回動リブ部２２と当接する。
【００８４】
回動スイッチ２０が矢線Ａ２の方向に回動操作されると、回動リブ部２１が伸縮部３３を押圧するとともに、回動リブ部２２がカムロック部４２と当接してカムロック部４２を外周側に回動させ、回動したカムロック部４２が、回動スイッチ１０の回動リブ部１２と当接するようになる。
【００８５】
従って、隣接する回動スイッチ１０又は２０の何れか一方が所定方向に回動操作されると、回動スイッチ１０又は２０の回動リブ部によってカムロック部４１，４２が回動し、回動操作されていない他方の回動スイッチ２０又は１０の回動リブと当接して、回動スイッチ２０又は１０が所定方向へ回動することを阻止する。これにより、一方の回動スイッチの回動操作に、他方の回動スイッチが連動する連れ回りを防止できる。
【００８６】
これにより、使用者の指が隣接する２つの回動スイッチ１０及び２０の両方を回動させる誤操作を防止できるようになる。  
また、自動復帰機構９の構成部材である、回動リブ部１１，１２，２１，２２、捻りコイルバネ３０、カムロック部４１，４２が、略同一平面上に配置されるので、多重回動スイッチ１を薄型化できる。更に、一の捻りコイルバネ３０が、回動スイッチ１０及び２０の両方の回動位置を復帰させるので、部品数、組立工数を削減でき、多重回動スイッチ１を小型化、低コスト化できる。
【００８７】
従って、多重回動スイッチ、及び、多重回動スイッチを搭載する電子機器の小型化、薄型化及び低コスト化に貢献できるようになる。
【００８８】
なお、この例では、自動復帰機構９の弾性部材の一例として、捻りコイルバネ３０を挙げて説明をしたが、これに限られることはなく、例えばスプリング、板バネ、ゴム部材等のように弾性を有して張力を加えられるものであれば何を使用してもよい。
【産業上の利用可能性】
【００８９】
本発明は、デジタルカメラ、デジタルビデオカメラ等のズームスイッチやモード切替スイッチに適用して極めて好適である。
【図面の簡単な説明】
【００９０】
【図１】実施の形態としての多重回動スイッチ１の構成例を示す斜視図である。
【図２】（Ａ）及び（Ｂ）は、自動復帰機構９の構成例を示す多重回動スイッチ１の分解斜視図である。
【図３】多重回動スイッチ１の機能例（その１）を示す図である。
【図４】多重回動スイッチ１の機能例（その２）を示す図である。
【図５】多重回動スイッチ１の機能例（その３）を示す図である。
【図６】多重回動スイッチ１の機能例（その４）を示す図である。
【図７】多重回動スイッチ１の機能例（その５）を示す図である。
【符号の説明】
【００９１】
１・・・多重回動スイッチ、２，７０・・・筐体、３・・・環状突起部、１０・・・回動スイッチ（第１の回動スイッチ）、２０・・・回動スイッチ（第２の回動スイッチ）、１１・・・回動リブ部（第１の回動リブ部）、１２・・・回動リブ部（第２の回動リブ部）、２１・・・回動リブ部（第３の回動リブ部）、２２・・・回動リブ部（第４の回動リブ部）、３０・・・捻りコイルバネ（弾性部材）、４１・・・カムロック部（第１のカムロック部）、４２・・・カムロック部（第２のカムロック部）、５０，５１，６０・・・連動片、５２，６２・・・摺動子、７１，７２・・・電極群
【図１】
2009135038.tif 000003
【図２】
2009135038.tif 000004
【図３】
2009135038.tif 000005
【図４】
2009135038.tif 000006
【図５】
2009135038.tif 000007
【図６】
2009135038.tif 000008
【図７】
2009135038.tif 000009